(57)【要約】【課題】  従来より美容院にて希望するヘアスタイルにセットしたのを、自宅にて自分でセット可能にするのが課題である。【解決手段】  カーリードライヤーに着脱自在な専用アタッチメントを取り付け、詳しい説明書により希望するヘアスタイルに、セット可能にしたものである。【選択図】  図２
2006305255.tif 000002
【特許請求の範囲】
【請求項１】
温風発生本体１と、それぞれのヘアスタイル専用のアタッチメントと、そのアタッチメントにより、希望するヘアスタイルにセットするための、詳しい説明書とを一組にした、カーリードライヤー。
【請求項２】
請求項１に記載のセットに於いて、購入者希望のヘアスタイルのみの専用アタッチメントと、そのアタッチメントの詳しい説明書とを一組とせる、カーリードライャー。
【請求項３】
請求項１に記載のセットに於いて、希望するヘアスタイルがショートヘアのナチュラルブロー２の場合、アタッチメントがブローブラシ３である、カーリードライヤー。
【請求項４】
請求項１に記載のセットに於いて、希望するヘアスタイルがショートヘアのボリュームブロー５の場合、アタッチメントがロールブラシ６である、カーリードライヤー。
【請求項５】
請求項１に記載のセットに於いて、希望するヘアスタイルがセミロングの極ゆるスパイラルカール８の場合、アタッチメントが太ロールブラシ９である、カーリードライヤー。
【請求項６】
請求項１に記載のセットに於いて、希望するヘアスタイルがショートヘアのアクセントカール１１の場合、アタッチメントがクリップパイプ１２である、カーリードライヤー。
【請求項７】
請求項１に記載のセットに於いて、希望するヘアスタイルがショートヘアのランダムな外ハネ１４の場合、アタッチメントがキャッチロールブラシ１５である、カーリードライヤー。
【請求項８】
請求項１に記載のセットに於いて、希望するヘアスタイルがセミロングのレイヤーブロー１７の場合、アタッチメントがキャッチブローブラシ１８である、カーリードライヤー。
【請求項９】
請求項１に記載のセットに於いて、希望するヘアスタイルがロングヘアのレイヤーブロー２０の場合、アタッチメントがワイドブローブラシ２１である、カーリードライヤー。
【請求項１０】
請求項１に記載のセットに於いて、希望するヘアスタイルがセミロングのリバースブロー２３の場合、アタッチメントがグリップブローブラシ２４である、カーリードライヤー。
【請求項１１】
請求項１に記載のセットに於いて、希望するヘアスタイルがロングヘアのエアリーカール２６の場合、アタッチメントがアイロンロールブラシ２７である、カーリードライヤー。
【請求項１２】
請求項１に記載のセットに於いて、希望するヘアスタイルがロングヘアの強めウエーブ２９の場合、アタッチメントがアイロングリップパイプ３０である、カーリードライヤー。
【請求項１３】
請求項１に記載のセットに於いて、希望するヘアスタイルがロングヘアのセンターパートストレート３２の場合、アタッチメントがフロントコーム３３である、カーリードライヤー。
【請求項１４】
請求項１に於いて、希望するヘアスタイルがセミロングのサイド立ち上げ３５の場合、アタッチメントがショートコーム３６である、カーリードライヤー。
【請求項１５】
請求項１に記載のセットに於いて、希望するヘアスタイルがセミロングのレイヤーブロー３８の場合、アタッチメントがショートブラシ３９である、カーリードライヤー。
【請求項１６】
請求項１に記載のセットに於いて、希望するヘアスタイルがショーシヘアのナチュラルブローポイントブロー４１の場合、アタッチメントがＬ型ブローノズル４２である、カーリードライヤー。
【請求項１７】
請求項１に記載のセットに於いて、希望するヘアスタイルがセミロングのナチュラルボリューム４４の場合、アタッチメントがフインガーコーム４５である、カーリードライヤー。
【請求項１８】
請求項１に記載のセットに於いて、希望するヘアスタイルがロングヘアのルーズボリューム４７の場合、アタッチメントがボリュームコーム４８である、カーリードライヤー。
【請求項１９】
請求項１に記載のセットに於いて、それぞれの専用アタッチメントに対して、詳しい使用説明書が添付され、その全てをまとめてファイル可能な、カーリードライヤー。
【発明の詳細な説明】
【技術分野】
【０００１】  本発明は、希望するヘアスタイル専用アタッチメントと、温風発生器とを着脱可能に組み合わせ、本人が希望するヘアスタイルにセットするための、詳しい使用説明書とを一組としたカーリードライヤーに関する。
【背景技術】
【０００２】  従来より各自が希望するヘアスタイルにセットするには、美容院にて希望するヘアスタイルにしていたが、それには時間と費用が掛かるのが当然とされていた、多忙な現在人が自宅にて自由な時間に、希望するヘアスタイルに自分でセットする事を、可能とするものである。
【発明の開示】
【発明が解決しょうとする課題】
【０００３】  本発明が解決しょうとする課題は、様々な希望するヘアスタイルが、自宅にて自由にセット可能にするのが課題である。
【課題を解決するための手段】
【０００４】  この課題を解決する手段として、温風発生器であるカーリードライヤーに、それぞれのヘアスタイル専用のアタッチメントを取り付け、それに詳しい使用説明書を添付し、自宅でのセットを可能にするものである。
【発明の効果】
【０００５】  発明の効果としては、自宅に個人専用の美容院を持ち込む効果を有するもので、わざわざ時間をさいて美容院まで行き、その都度高額な出費の必要が無くなるものである。
【発明を実施するための最良の形態】
【０００６】  自宅にて自分で希望するヘアスタイルにセットするには、それぞれ専用のアタッチメントを使用し、最初は添付の詳しい取り扱い説明書により、自由な時間にヘアセットを可能にするものである。
【実施例】
【０００７】  図により説明すれば、図１のカーリードライヤー本体１に、それぞれ専用のアタッチメントを着脱自在に取り付けて実施するもので、先ず図２のヘアスタイルをショートヘアのナチュラルブロー２にする場合、それに専用のアタッチメントのブローブラシ３を取り付け、説明書によりセットするもので、４は使用中のイメージを示したものである。【０００８】  図３はヘアスタイルを、ショートヘアのボリュムブロー５にする場合を示すもので、それには専用アタッチメントのロールブラシ６を取り付け、使用イメージ７のように自分でセットするものである。【０００９】  図４はヘアスタイルを、セミロングの極ゆるスパイラルカール８にする場合を示すもので、それに専用アタッチメントの太ロールブラシ９を取り付け、使用イメージ１０のように自分でセットするものである。【００１０】  図５はヘアスタイルを、ショートヘアのアクセントカール１１にする場合を示すもので、それに専用アタッチメントのクリップパイプ１２を取り付け、使用イメージ１３のように自分でセットするものである。【００１１】  図６はヘアスタイルを、ショートヘアのランダムな外ハネ１４にする場合を示すもので、それに専用アタッチメントのキャッチロールブラシ１５を取り付け、使用イメージ１６のように自分でセットするものである。【００１２】  図７はヘアスタイルを、セミロングのレイヤーブロー１７にする場合を示すもので、それに専用アタッチメントのキャッチローブラシ１８を取り付け、使用イメージ１９のように自分でセットするものである。【００１３】  図８はヘアスタイルを、ロングヘアのレイヤーブロー２０にする場合を示すもので、それに専用アタッチメントのワイドブローブラシ２１を取り付け、使用イメージ２２のように自分でセットするものである。【００１４】  図９はヘアスタイルを、セミロングのリバースブロー２３にする場合を示すもので、それに専用アタッチメントのクリップブローブラシ２４を取り付け、使用イメージ２５のように自分でセットするものである。【００１５】  図１０はヘアスタイルを、ロングヘアのエアリーカール２６にする場合を示すもので、それに専用アタッチメントのアイロンロールブラシ２７を取り付け、使用イメージ２８のように自分でセットするものである。【００１６】  図１１はヘアスタイルを、ロングヘアの強めウエーブ２９にする場合を示すもので、それに専用アタッチメントのアイロンクリップパイプ３０を取り付け、使用イメージ３１のように自分でセットするものである。【００１７】  図１２はヘアスタイルを、ロングヘアのセンパートストレート３２にする場合を示すもので、それに専用アタッチメントのフロントコーム３３を取り付け、使用イメージ３４のように自分でセットするものである。【００１８】  図１３はヘアスタイルを、セミロングのサイド立ち上げ３５にする場合を示すもので、それに専用アタッチメントのショートコーム３６を取り付け、使用イメージ３７のように自分でセットするものである。【００１９】  図１４はヘアスタイルを、セミロングのレイヤーブロー３８にする場合を示すもので、それに専用アタッチメントのショートブラシ３９を取り付け、使用イメージ４０のように自分でセ���トするものである。【００２０】  図１５はヘアスタイルをショートヘアのナチュラルブロープイントブロー４１にする場合を示すもので、それに専用アタッチメントのＬ型ブローノズル４２を取り付け、使用イメージ４３のように自分でセットするものである。【００２１】  図１６はヘアスタイルを、セミロングのナチュラルボリューム４４にする場合を示すもので、それに専用アタッチメントのフィンガーコーム４５を取り付け、使用イメージ４６のように自分でセットするものである。【００２２】  図１７はヘアスタイルを、ロングヘアのルーズボリューム４７にする場合を示すもので、それに専用アタッチメントのボリュームコーム４８を取り付け、使用イメージ４９のように自分でセットするものである。【００２３】  このように希望する種々のヘアスタイルに合わせた専用アタッチメントを使用し、それに詳しい使用説明書を添付することで、自宅にて自分で自由な時間にセットする事を可能にしたものである。
【産業上の利用可能性】
【００２４】  多忙な現在、時間に制約されることなく特に費用も掛けずに、希望するヘアスタイリングを可能にする。
【図面の簡単な説明】
【００１８】
【図１】カーリードライヤー本体を示す図
【図２】ショートヘアのナチュラルブローにセットする図
【図３】ショートヘアのボリュームブローにセットする図
【図４】セミロングの極ゆるスパイラルカールにセットする図
【図５】ショートヘアのアクセントカールにセットする図
【図６】ショートヘアのランダムな外ハネにセットする図
【図７】セミロングのレイヤーブローにセットする図
【図８】ロングヘアのレイヤーブローにセットする図
【図９】セミロングのリバースブローにセットする図
【図１０】ロングヘアのエアリーカールにセットする図
【図１１】ロングヘアの強めウェーブにセットする図
【図１２】ロングヘアのセンターパートストレートにセットする図
【図１３】セミロングのサイド立ち上げにセットする図
【図１４】セミロングのレイヤーブローにセットする図
【図１５】ショートヘアのナチュラルブローポイントブローにセットする図
【図１６】セミロングのナチュラルボリュームにセットする図
【図１７】ロングヘアのルーズボリュームにセットする図
【符号の説明】
【００１９】１  カーリードライヤー
２  ショートヘアのナチュラルブロー
３  ブローブラシ
４  使用イメージ
５  ショートヘアのボリュームブロー
６  ロールブラシ
７  使用イメージ
８  セミロングの極ゆるスバイラルカール
９  太ロールブラシ
１０  使用イメージ
１１  ショートヘアのアクセントカール
１２  クリップパイプ
１３  使用イメージ
１４  ショートヘアのランダムな外ハネ
１５  キャッチロールブラシ
１６  使用イメージ
１７  セミロングのレイヤーブロー
１８  キャッチブローブラシ
１９  使用イメージ
２０  ロングヘアのレイヤーブロー
２１  ワイドブローブラシ
２２  使用イメージ
２３  セミロングのリバースブロー
２４  グリップブローブラシ
２５  使用イメージ
２６  ロングヘアのエアリーカール
２７  アイロンロールブラシ
２８  使用イメージ
２９  ロングヘアの強めウェーブ
３０  アイロンクリップパイプ
３１  使用イメージ
３２  ロングヘアのセンターパートストレート
３３  フロントコーム
３４  使用イメージ
３５  セミロングのサイド立ち上げ
３６  ショートコーム
３７  使用イメージ
３８  セミロングのレイヤーブロー
３９  ショートブラシ
４０  使用イメージ
４１  ショートヘアのナチュラルブローポイントブロー
４２  Ｌ型ブローノズル
４３  使用イメージ
４４  セミロングのナチュラルブリューム
４５  フインガーコーム
４６  使用イメージ
４７  ロングヘアのルーズボリューム
４８  ボリュームコーム
４９  使用イメージ
【図１】
2006305255.tif 000003
【図２】
2006305255.tif 000004
【図３】
2006305255.tif 000005
【図４】
2006305255.tif 000006
【図５】
2006305255.tif 000007
【図６】
2006305255.tif 000008
【図７】
2006305255.tif 000009
【図８】
2006305255.tif 000010
【図９】
2006305255.tif 000011
【図１０】
2006305255.tif 000012
【図１１】
2006305255.tif 000013
【図１２】
2006305255.tif 000014
【図１３】
2006305255.tif 000015
【図１４】
2006305255.tif 000016
【図１５】
2006305255.tif 000017
【図１６】
2006305255.tif 000018
【図１７】
2006305255.tif 000019